(57)【要約】【課題】同一画面上に主映像の画面と、複数の副映像の画面を表示する表示装置においては、主映像の画面と、副映像の画面との表示位置は固定されており、表示装置自体や、表示されるコンテンツによっては、映像が視認しづらい状況が起こりうるという課題がある。【解決手段】本発明は、かかる実情に鑑み、画面構成命令に基づいて、複数のコンテンツをそれぞれ構成する映像情報をディスプレイ本体の複数部分に割り当てて表示する映像表示装置を提案するものである。このとき、映像情報や、ディスプレイ本体の属性情報に基づいて、画面構成命令を生成し取得することができる。【選択図】図１
2007279246.tif 000002
【特許請求の範囲】
【請求項１】
ディスプレイ本体を含むディスプレイ部と、
複数のコンテンツをそれぞれ構成する映像情報を取得する映像情報取得部と、
ディスプレイ本体の画面構成命令を取得する画面構成命令取得部と、
画面構成命令に基づいて、取得した映像情報をディスプレイ本体の複数部分に割り当てて表示するように表示画面用情報を構成する表示画面用情報構成部と、
を有する映像表示装置。
【請求項２】
映像情報取得部は、
取得する映像情報の属性情報を取得する映像属性情報取得手段を有し、
画面構成命令取得部は、
取得された映像属性情報に基づいて画面構成命令を取得する映像属性情報依存画面構成命令取得手段を有する
請求項１に記載の映像表示装置。
【請求項３】
ディスプレイ部は、
ディスプレイ本体の属性情報を取得するディスプレイ本体属性情報取得手段を有し、
画面構成命令取得部は、
ディスプレイ本体属性情報に基づいて画面構成命令を取得するディスプレイ属性情報依存画面構成命令取得手段を有する請求項１又は２に記載の映像表示装置。
【請求項４】
映像情報取得部は、
放送映像情報取得のための第一映像情報取得手段と、
放送映像以外の映像情報取得のための第二映像情報取得手段と、
を有する請求項１から３のいずれか一に記載の映像表示装置。
【請求項５】
映像情報取得部は、
放送映像情報取得のための第一映像情報取得手段と、
第一映像情報取得手段にて取得した第一映像情報を処理した映像情報である処理済放送映像情報取得のための第三映像情報取得手段と、
を有する請求項１から３のいずれか一に記載の映像表示装置。
【請求項６】
第二映像情報取得手段は、通信によって第二映像情報を取得するための通信器を有する請求項４に記載の映像表示装置。
【請求項７】
ディスプレイ本体は、画像表示領域の縦／横の比が、３／８以下である請求項１から５のいずれか一に記載の映像表示装置。
【請求項８】
ディスプレイ本体を含む映像表示装置による表示方法であって、
複数のコンテンツをそれぞれ構成する映像情報を取得する映像情報取得ステップと、
ディスプレイ本体の画面構成命令を取得する画面構成命令取得ステップと、
画面構成命令に基づいて、取得した映像情報をディスプレイ本体の複数部分に割り当てて表示するように表示画面用情報を構成する表示画面用情報構成ステップと、
を有する表示方法。
【発明の詳細な説明】
【技術分野】
【０００１】
本発明は、映像表示装置に関するものである。
【背景技術】
【０００２】
同一画面上に主映像の画面と、複数の副映像の画面を表示する表示装置についてはすでに提案されている（例えば、特許文献１参照）。このとき、複数の副映像の画面を順次スクロールにより画面上を連続的に移動表示させ、その副映像から任意に選択を行い、主映像の画面に切り替えることを可能とする。
【特許文献１】特開平１１−２６１９２０号公報
【発明の開示】
【発明が解決しようとする課題】
【０００３】
しかしながら、上記表示装置においては、主映像の画面と、副映像の画面との表示位置は固定されており、表示装置自体や、表示されるコンテンツによっては、映像が視認しづらい状況が起こりうるという課題がある。具体的には、表示領域の縦横比が３：４の表示装置において、縦横比９：１６のコンテンツを表示している状況で、さらに副映像をディスプレイの左右に表示すると、ディスプレイの上下に無駄な領域が生じ、かつ、主映像、副映像の映像自体も縮小されて表示されるため視認しづらくなる。
【課題を解決するための手段】
【０００４】
本発明は、かかる実情に鑑み、画面構成命令に基づいて、複数のコンテンツをそれぞれ構成する映像情報をディスプレイ本体の複数部分に割り当てて表示する映像表示装置を提案するものである。このとき、映像情報や、ディスプレイ本体の属性情報に基づいて、画面構成命令を生成し取得することができる。
【０００５】
また、映像情報は、放送映像だけでなく、放送映像以外の映像情報として、例えば、インターネット、メール、電子番組表、スクリーンセーバーなどのソフトウェア、スピーカー、イコライザーなど内部状態を表示する画像、ドアホンのモニター画面など様々なバリエーションを有する。このとき、取得した放送映像情報を処理して追っかけ再生などが可能な処理済放送映像情報とすることもできる。
【発明の効果】
【０００６】
以上、説明したように本件発明に係る映像表示装置は、画面構成命令に応じて複数のコンテンツがディスプレイの複数部分に割り当てられて表示されるため、利用者に常に視認しやすい環境を提供することができる。また、ディスプレイ本体が横方向にワイドとなると、既存のコンテンツの表示を行う場合、左右に余剰領域が生じるが、その領域に副画面の画像を表示するため、主画面と副画面の両方の画像とも不自然に縮小されることなく、表示領域を有効に活用できる。
【０００７】
また、映像情報によって構成されるコンテンツの縦横比や、主画面／副画面の別、コンテンツの種別などの映像の属性情報、さらには、ディスプレイの表示画面サイズ、表示領域の縦横比などのディスプレイ本体の属性情報に基づいた最適な画面配置が行われる場合には、画面構成が自動的に定まるため利便性が高い。
【発明を実施するための最良の形態】
【０００８】
以下に、各発明を実施するための最良の形態を説明する。なお、本発明はこれら実施の形態に何ら限定されるものではなく、その要旨を逸脱しない範囲において、種々なる態様で実施しうる。
【０００９】
実施形態１は、主に請求項１、７、８について説明する。  実施形態２は、主に請求項２について説明する。  実施形態３は、主に請求項３について説明する。  実施形態４は、主に請求項４、６について説明する。  実施形態５は、主に請求項５について説明する。
【００１０】
<<実施形態１>>
【００１１】
<実施形態１：概要>  本実施形態の概要について説明する。本実施形態は、画面構成命令に基づいて、複数のコンテンツをそれぞれ構成する映像情報をディスプレイ本体の複数部分に割り当てて表示することに特徴を有する映像表示装置である。
【００１２】
図１は、本実施形態の映像表示装置の一例を示すものである。本実施形態の映像表示装置は、画面構成命令に基づいて、複数のコンテンツをそれぞれ構成する映像情報をディスプレイ本体の複数部分に割り当てて表示する。今、例えば、映像表示装置が、表示領域の中央部分に主画面の映像を表示し、その左右領域に副画面の映像を表示するための画面構成命令を取得したとする。これに基づいて、チューナ1にて受信したスポーツ中継のコンテンツを表示領域の中央部分に、内蔵ＨＤＤなどに保持している風景の映像コンテンツや外部の電子機器から取得した映像コンテンツなどを表示領域の左右部分の所定の位置に割り当てて表示するように表示画面用情報を構成し、ディスプレイに表示する。
【００１３】
なお、画面構成命令は、利用者が操作することによって生成され取得される場合の他、予め定められたルールによって作成される場合や、映像情報、ディスプレイの属性に基づいて生成され取得できる場合もある。ここでは、利用者の操作によるものとする。続いて、利用者がさらに操作を行って映像表示装置が異なる画面構成命令を取得した場合には、表示が切り替わる。このときの一例を示したものが図２である。表示領域の下部領域の左右に主画面の映像を、さらに、その上部領域を６分割し、副画面の映像を表示するための画面構成命令を取得したとする。これに基づいて、表示領域の下部領域の左側にチューナ１にて受信したスポーツ中継のコンテンツを、チューナ２にて受信した右側にニュース映像を表示し、さらに上部領域には内蔵ＨＤＤや、本装置に接続されている外部ビデオデッキやＰＣ（パーソナル・コンピュータ）などから取得したそれぞれのコンテンツを所定の位置に割り当てて表示する。このように表示形態は様々であり、図で示した例に限定されるものではない。
【００１４】
<実施形態１：構成>  本実施形態の機能ブロックの一例を図３に示した。  図３に示す本実施形態の「映像表示装置」（０３００）は、「ディスプレイ部」（０３０１）と、「映像情報取得部」（０３０２）と、「画面構成命令取得部」（０３０３）と、「表示画面用情報構成部」（０３０４）と、を有する。
【００１５】
「映像表示装置」（０３００）は、画像を表示可能なディスプレイを有する装置一般を広く含む。
【００１６】
「ディスプレイ部」（０３０１）は、ディスプレイ本体を含み、その他ディスプレイに映像を表示するためのデバイスなどが含まれる場合がある。ディスプレイには、液晶ディスプレイ、プラズマディスプレイ、ＥＬディスプレイ、冷陰極マトリックス型ディスプレイなどを含む。
【００１７】
また、ディスプレイ本体は、画像表示領域の縦／横の比が、３／８以下である場合がある。映像表示装置自体が横方向にワイドとなると、既存のコンテンツの表示を行う場合、左右に余剰領域が生じるが、その領域にサブ画像を表示するため、メインとサブの両方の画像とも不自然に縮小されることなく、表示領域を有効に活用できる。
【００１８】
「映像情報取得部」（０３０２）は、映像情報を取得する。「映像情報」は、コンテンツを構成する情報であり、コンテンツが複数の場合にはそのそれぞれを構成する情報が該当する。映像情報には、動画を構成する情報だけでなく、静止画を構成する情報が含まれる場合もある。また映像情報の取得は、受信チューナーなどを介して放送されたコンテンツを取得する場合や、インターネットなどを介してコンテンツをダウンロードして取得する場合、すでに映像表示装置内のＨＤＤなどに蓄積されているコンテンツを読み出して取得する場合などが想定される。また、映像情報によって構成されるコンテンツには、映画、放送番組などの映像コンテンツ、インターネット、メール、電子番組表、スクリーンセーバーなどのソフトウェア、スピーカー、イコライザーなど内部状態を表示する画像、ドアホンのモニター画面など様々なものが含まれるとしてもよい。
【００１９】
「画面構成命令取得部」（０３０３）は、画面構成命令を取得する。「画面構成命令」は、ディスプレイ本体の画面を構成するための命令をいう。画面をどのように分割するかや、各分割画面の大きさや、縦横比を指定するための命令である。また、画面構成は、静的なものに限定されるものではなく、動的なものであってもよい（例えば、副画面の映像コンテンツが表示される位置を一定時間経過ごとに左上→左下→右下→右上→左上の順に変更する場合には、視覚的には反時計回りに画面が移動しているような表示形態が実現できる）。画面構成命令は、利用者が操作することで生成され取得できるとしてもよいし、映像情報や、ディスプレイの属性に基づいて生成され取得できる場合もある。後者については、後述の実施形態にて詳述する。
【００２０】
「表示画面用情報構成部」（０３０４）は、画面構成命令に基づいて、取得した映像情報をディスプレイ本体の複数部分に割り当てて表示するように表示画面用情報を構成する。「表示画面用情報」は、ディスプレイ部の表示状態を示す情報をいう。表示画面をどのように分割し、各分割画面に何のコンテンツを表示させるかを示す情報である。画面構成の際には、全てのコンテンツを相互に重畳しないで表示するものに限定されるものではなく、例えば、副画面の上に主画面を重畳する表示形態をとるとしてもよい。
【００２１】
<実施形態１：具体例>  図４は、本実施形態の映像表示装置におけるハードウエア構成の一例を示す概略図である。この図を利用して、映像表示装置の表示処理におけるそれぞれのハードウエア構成部の働きについて説明する。この図にあるように、映像表示装置は、表示画面用情報構成部として「ＣＰＵ（中央演算装置）」（０４０１）と、「メインメモリ」（０４０２）と、「グラフィックメモリ」（０４０３）とを備えている。また、「記憶装置（又は記憶媒体）」（０４０４）を備え、映像情報取得部として「受信チューナー」（０４０５）や、画面構成命令取得部として「インターフェース」（０４０６）、さらに、ディスプレイ部として「ディスプレイ」（０４０７）も備えている。これらは、「システムバス」（０４０８）などのデータ通信経路によって相互に接続され、情報の送受信や処理を行う。
【００２２】
ここで、記憶装置はＣＰＵにて実行される各種プログラムなどを記憶している。また、メインメモリは記憶装置に記憶されているプログラムを実行するために読み出しと同時にそのプログラムの作業領域でもあるワーク領域を提供する。さらに、このメインメモリや記憶装置にはそれぞれ複数のメモリアドレスが割り当てられており、ＣＰＵで実行されるプログラムは、そのメモリアドレスを特定しアクセスすることで相互にデータのやり取りを行い、処理することが可能となっている。また、受信チューナーは、コンテンツデータを受信する機能を備える。インターフェースは、受信チューナーにて受信したコンテンツデータをメインメモリに伝送する機能などを備える。
【００２３】
インターフェースにて映像情報の取得命令（電源ＯＮ、チャネル選択など）が取得されることにより、受信チューナーなどを介して映像情報が取得され、この映像情報により構成されるコンテンツＡ、Ｂ、Ｃがそれぞれ記憶装置のメインメモリのアドレス（１）（２）（３）に保持される。また、インターフェースで新規に画面構成命令が取得される。これは、利用者のリモコン操作などによって実現される。
【００２４】
一方、記憶装置のアドレス（α）に記憶されている表示画面構成プログラムＰがメインメモリのワーク領域上（４）に展開される。このとき、まず、表示画面構成プログラムＰは、「画面構成命令に基づいて、メインメモリのアドレス（１）（２）（３）のデータをグラフィックメモリに格納せよ」との命令を送出する。この命令にしたがって、メインメモリのアドレス（１）（２）（３）に記憶されているコンテンツＡ、Ｂ、Ｃが読み出され、ＣＰＵにて画像表示のための処理が行われる。このとき、画面構成命令に基づいて、取得した映像情報をディスプレイ本体の複数部分に割り当てて表示するように表示画面用情報が構成される。例えば、ディスプレイ中央領域にはコンテンツＡを表示し、左右領域のうち左上、右上にはコンテンツＢを、左下、右下にはコンテンツＣを表示することを示す表示画面用情報を構成する。グラフィックメモリに、表示画面用情報に応じたコンテンツがそれぞれ配置されることで、ディスプレイの所定の位置に、所定のコンテンツを表示することが可能となる。
【００２５】
<実施形態１：処理の流れ>  図５は、本実施形態の映像表示装置における表示処理の流れを示したものである。まず、複数のコンテンツをそれぞれ構成する映像情報を取得する（映像情報取得ステップ  Ｓ０５０１）。映像情報は、受信チューナーなどを介して放送されたコンテンツを取得する場合や、インターネットなどを介してコンテンツをダウンロードして取得する場合、すでに映像表示装置内のＨＤＤなどに蓄積されているコンテンツを読み出して取得する場合などが想定される。
【００２６】
次に、ディスプレイ本体の画面構成命令を取得する（画面構成命令取得ステップ  Ｓ０５０２）。画面構成命令は、利用者が操作することで生成され取得できるとしてもよいし、映像情報や、ディスプレイの属性に基づいて生成され取得できる場合もある。
【００２７】
最後に、画面構成命令に基づいて、取得した映像情報をディスプレイ本体の複数部分に割り当てて表示するように表示画面用情報を構成する（表示画面用情報構成ステップ  Ｓ０５０３）。表示画面用情報に応じたコンテンツが、グラフィックメモリにそれぞれ配置されることで、ディスプレイの所定の位置に、所定のコンテンツを表示することが可能となる。
【００２８】
以上の処理は、計算機に実行させるためのプログラムで実行することができ、また、このプログラムを計算機によって読取り可能な記録媒体に記録することができる。（本明細書の全体を通して同様である。）
【００２９】
<実施形態１：効果>  本実施形態は、画面構成命令に基づいて、複数のコンテンツをそれぞれ構成する映像情報をディスプレイ本体の複数部分に割り当てて表示することに特徴を有する映像表示装置である。画面構成命令に応じて複数のコンテンツがディスプレイの複数部分に割り当てられて表示されるため、利用者に常に視認しやすい環境を提供することができる。また、ディスプレイ本体が横方向にワイドとなると、既存のコンテンツの表示を行う場合、左右に余剰領域が生じるが、その領域に副画面の画像を表示するため、主画面と副画面の両方の画像とも不自然に縮小されることなく、表示領域を有効に活用できる。
【００３０】
<<実施形態２>>
【００３１】
<実施形態２：概要>  本実施形態の概要について説明する。本実施形態は、映像情報の属性情報に基づいて、画面構成命令を取得することに特徴を有する映像表示装置である。
【００３２】
図２２は、本実施形態の映像表示装置の一例を示すものである。この図２２（ａ）にあるように、ディスプレイの主画面に表示されるチューナ１の映像コンテンツの縦横比（映像情報の属性情報の一例）が３：４ならば、画面構成命令としてディスプレイ中心部分にそのサッカーの映像を配置し、左右部分にその他の外部機器やＰＣ入力の映像を配置する命令を取得する。一方、図２２（ｂ）にあるように、主画面に表示される映像コンテンツの縦横比が９：１６ならば、画面構成命令としてディスプレイ左側に寄せてそのサッカーの映像を配置し、右の空いた部分にその他の外部機器やＰＣ入力の映像を配置する命令を取得する、という具合である。また、その他にも、副画面に表示される映像コンテンツがメール画面やドアホンのモニタ画面など大きく画面表示する必要のないようものであれば、表示サイズを小さく割り当てた画面構成命令としたり、また、電子番組表であれば、全てのチャンネルをスクロールなしで表示可能なように配置する画面構成命令を取得したりする、という具合である。
【００３３】
<実施形態２：構成>  本実施形態の機能ブロックの一例を図６に示した。  図６に示す本実施形態の「映像表示装置」（０６００）は、「ディスプレイ部」（０６０１）と、「映像情報取得部」（０６０２）と、「画面構成命令取得部」（０６０３）と、「表示画面用情報構成部」（０６０４）と、を有する。さらに、映像情報取得部（０６０２）は「映像属性情報取得手段」（０６０５）を有し、画面構成命令取得部（０６０３）は「映像属性情報依存画面構成命令取得手段」（０６０６）を有する。
【００３４】
「映像属性情報取得手段」（０６０５）は、映像属性情報を取得する。「映像属性情報」は、映像情報の属性を示す情報である。映像情報の属性とは、表示するコンテンツの縦横比、主画面／副画面の別、映像情報によって構成されるコンテンツの種別（放送番組、ソフトウェア、静止画など）、コンテンツの内容（放送番組のチャネル、ソフトウェアの別など）などが該当する。また、取得経路の別（受信チューナー、ＨＤＤなど）を示す識別情報が該当する場合もある。映像属性情報は、映像情報に付加されており、映像情報の取得の際に付随して取得できるとしてもよいし、映像属性情報は単独の情報として、映像情報とは別個に取得するとしてもよい。
【００３５】
「映像属性情報依存画面構成命令取得手段」（０６０６）は、取得された映像属性情報に基づいて画面構成命令を取得する。映像属性情報に基づく画面構成命令の取得とは、例えば、コンテンツの縦横比や、主画面／副画面の別に応じて、表示領域における主画面／副画面の配置を構成するための命令を生成し取得することなどが該当する。また、映像属性情報が、映像情報によって構成されるコンテンツの種別を示す情報である場合には、静止画と動画を交互に配置するなど視認しやすい配置ができるとしてもよい。
【００３６】
その他各部の処理については、実施形態１と同様である。
【００３７】
<実施形態２：具体例>  図７は、本実施形態の映像表示装置におけるハードウエア構成の一例を示す概略図である。この図にあるように、映像表示装置は、表示画面用情報構成部として「ＣＰＵ（中央演算装置）」（０７０１）と、「メインメモリ」（０７０２）と、「グラフィックメモリ」（０７０３）とを備えている。また、「記憶装置（又は記憶媒体）」（０７０４）や、ディスプレイ部として「ディスプレイ」（０７０７）を備える。また、映像情報取得部（映像属性情報取得手段）は「受信チューナー」（０７０５）により構成され、画面構成命令取得部（映像属性情報取得手段）は「ＣＰＵ」と、「インターフェース」（０７０６）により構成される。さらに、これらは、「システムバス」（０７０８）などのデータ通信経路によって相互に接続され、情報の送受信や処理を行う。
【００３８】
インターフェースにて映像情報の取得命令（電源ＯＮ、チャネル選択など）が取得されることにより、受信チューナーなどを介して映像情報が取得され、この映像情報により構成されるコンテンツＡ、Ｂ、Ｃがそれぞれ記憶装置のメインメモリのアドレス（１）（２）（３）に保持される。このとき、さらに本実施形態においては、映像情報の属性を示す映像属性情報を取得し、メインメモリのアドレス（４）に保持する。
【００３９】
また、インターフェースで新規に画面構成命令が取得される。通常、画面構成命令は、利用者のリモコン操作などによって取得が実現されるが、本実施形態においては、画面構成命令は、映像属性情報に基づいてＣＰＵにて生成される。具体的には、記憶装置のアドレス（β）に記憶されている画面構成命令取得プログラムＰ２がメインメモリのワーク領域上（５）に展開される。画面構成命令取得プログラムＰ２は、「メインメモリのアドレス（４）のデータに基づいて、画面構成命令を取得せよ」との命令を送出する。この命令にしたがって、メインメモリのアドレス（４）に記憶されている映像属性情報に基づいて、画面構成命令を生成する。例えば、映像属性情報によって、コンテンツＡが主画面で、コンテンツＢ、Ｃは副画面であると特定できる場合には、ディスプレイ中央領域にはコンテンツＡを表示し、左右領域にはコンテンツＢ、Ｃを表示するような画面構成命令を生成する。
【００４０】
一方、図示していないが、記憶装置のアドレス（α）に記憶されている表示画面構成プログラムＰがメインメモリのワーク領域上（５）に展開される。このとき、まず、表示画面構成プログラムＰは、「画面構成命令に基づいて、メインメモリのアドレス（１）（２）（３）のデータをグラフィックメモリに格納せよ」との命令を送出する。この命令にしたがって、メインメモリのアドレス（１）（２）（３）に記憶されているコンテンツＡ、Ｂ、Ｃが読み出され、ＣＰＵにて画像表示のための処理が行われる。このとき、映像属性情報に依存して生成された画面構成命令に基づいて、取得した映像情報をディスプレイ本体の複数部分に割り当てて表示するように表示画面用情報が構成される。例えば、ディスプレイ中央領域にはコンテンツＡを表示し、左右領域のうち左上、右上にはコンテンツＢを、左下、右下にはコンテンツＣを表示することを示す表示画面用情報を構成する。グラフィックメモリに、表示画面用情報に応じたコンテンツがそれぞれ配置されることで、ディスプレイの所定の位置に、所定のコンテンツを表示することが可能となる。
【００４１】
<実施形態２：処理の流れ>  図８は、本実施形態の映像表示装置における表示処理の流れを示したものである。まず、複数のコンテンツをそれぞれ構成する映像情報を取得する（映像情報取得ステップ  Ｓ０８０１）。映像情報は、受信チューナーなどを介して放送されたコンテンツを取得する場合や、インターネットなどを介してコンテンツをダウンロードして取得する場合、すでに映像表示装置内のＨＤＤなどに蓄積されているコンテンツを読み出して取得する場合などが想定される。このとき、取得した映像情報の属性を示す映像属性情報を取得する（映像属性情報取得ステップ  Ｓ０８０２）。映像属性情報は、映像情報のヘッダなどに付加されており、映像情報の取得の際に付随して取得できるとしてもよいし、映像属性情報は単独の情報として、映像情報とは別個に取得するとしてもよい。
【００４２】
次に、取得された映像属性情報に基づいて画面構成命令を取得する（映像属性情報依存画面構成命令取得ステップ  Ｓ０８０３）。映像属性情報によって、映像情報によって構成されるコンテンツの縦横比や、主画面／副画面の別、コンテンツの種別などが特定されるため、これに応じて、表示領域における主画面／副画面の配置を構成するための命令を生成し取得する。
【００４３】
最後に、画面構成命令に基づいて、取得した映像情報をディスプレイ本体の複数部分に割り当てて表示するように表示画面用情報を構成する（表示画面用情報構成ステップ  Ｓ０８０４）。表示画面用情報に応じたコンテンツが、グラフィックメモリにそれぞれ配置されることで、ディスプレイの所定の位置に、所定のコンテンツを表示することが可能となる。
【００４４】
<実施形態２：効果>  本実施形態は、映像情報の属性情報に基づいて、画面構成命令を取得することに特徴を有する映像表示装置である。受信チューナーなどを介して取得した映像情報から得られる映像属性情報によって、映像情報によって構成されるコンテンツの縦横比や、主画面／副画面の別、コンテンツの種別などに基づいた最適な画面配置が行われるため、利便性が高い。また、これらの画面構成は自動的に定まり、利用者が逐一画面配置を指定しなくてもよいため、煩雑な作業が回避される。
【００４５】
<<実施形態３>>
【００４６】
<実施形態３：概要>  本実施形態の概要について説明する。本実施形態は、ディスプレイ本体の属性情報に基づいて、画面構成命令を取得することに特徴を有する映像表示装置である。
【００４７】
図２３は、本実施形態の映像表示装置の一例を示すものである。縦横比９：１６の放送番組の映像コンテンツを主画面とし、副画面に電子番組表を表示する場合、この図２３（ａ）にあるように、ディスプレイ本体の縦横比が９：１６であれば、画面構成命令としてディスプレイ中心部分にその放送番組のサッカーの映像を配置し、上部に電子番組表を配置する、という命令を取得する。一方、図２３（ｂ）にあるように、ディスプレイ本体の縦横比が３：８であれば、面構成命令としてディスプレイ左側に寄せてそのサッカーの映像を配置し、右の空いた部分に電子番組表を配置する、という命令を取得する、という具合である。
【００４８】
<実施形態３：構成>  本実施形態の機能ブロックの一例を図９に示した。  図９に示す本実施形態の「映像表示装置」（０９００）は、「ディスプレイ部」（０９０１）と、「映像情報取得部」（０９０２）と、「画面構成命令取得部」（０９０３）と、「表示画面用情報構成部」（０９０４）と、を有する。さらに、ディスプレイ部（０９０１）は「ディスプレイ本体属性情報取得手段」（０９０５）を有し、画面構成命令取得部（０９０３）は「ディスプレイ属性情報依存画面構成命令取得手段」（０９０６）を有する。図９に示す機能ブロック図は、実施形態１を基本としたものであるが、その他の実施形態を基本とする場合には、他の構成要件を必要とする場合がある。
【００４９】
「ディスプレイ本体属性情報取得手段」（０９０５）は、ディスプレイ本体属性情報を取得する。「ディスプレイ本体属性情報」は、ディスプレイ本体の属性を示す情報である。ディスプレイ本体の属性とは、ディスプレイの表示画面サイズ、表示領域の縦横比などが該当する。ディスプレイ本体属性情報は、予めＨＤＤなどに保持、蓄積されている。
【００５０】
「ディスプレイ属性情報依存画面構成命令取得手段」（０９０６）は、ディスプレイ本体属性情報に基づいて画面構成命令を取得する。ディスプレイ本体属性情報に基づく画面構成命令の取得とは、例えば、ディスプレイの表示画面サイズ、表示領域の縦横比などに応じて、表示領域における主画面／副画面の配置を構成するための命令を生成し取得することなどが該当する。
【００５１】
その他各部の処理については、実施形態１、２と同様である。
【００５２】
<実施形態３：具体例>  図１０は、本実施形態の映像表示装置におけるハードウエア構成の一例を示す概略図である。この図にあるように、映像表示装置は、表示画面用情報構成部として「ＣＰＵ（中央演算装置）」（１００１）と、「メインメモリ」（１００２）と、「グラフィックメモリ」（１００３）とを備えている。また、「記憶装置（又は記憶媒体）」（１００４）を備え、映像情報取得部として「受信チューナー」（１００５）を備える。さらに、画面構成命令取得部（ディスプレイ属性情報依存画面構成命令取得手段）は「ＣＰＵ」と、「インターフェース」（１００６）、さらに、ディスプレイ部（ディスプレイ属性情報取得手段）は「インターフェース」と「ディスプレイ」（１００７）により構成される。これらは、「システムバス」（１００８）などのデータ通信経路によって相互に接続され、情報の送受信や処理を行う。
【００５３】
インターフェースにて映像情報の取得命令（電源ＯＮ、チャネル選択など）が取得されることにより、受信チューナーなどを介して映像情報が取得され、この映像情報により構成されるコンテンツＡ、Ｂ、Ｃがそれぞれ記憶装置のメインメモリのアドレス（１）（２）（３）に保持される。また、インターフェースで新規にディスプレイ本体の属性情報の取得命令が取得される。ディスプレイ本体の属性情報は、記憶装置のアドレス（γ）に記憶されているため、これを読み出し、メインメモリのアドレス（４）に保持される。
【００５４】
さらに、インターフェースで新規に画面構成命令が取得される。通常、画面構成命令は、利用者のリモコン操作などによって取得が実現されるが、本実施形態においては、画面構成命令は、ディスプレイ本体属性情報に基づいてＣＰＵにて生成される。具体的には、記憶装置のアドレス（β）に記憶されている画面構成命令取得プログラムＰ２がメインメモリのワーク領域上（５）に展開される。画面構成命令取得プログラムＰ２は、「メインメモリのアドレス（４）のデータに基づいて、画面構成命令を取得せよ」との命令を送出する。この命令にしたがって、メインメモリのアドレス（４）に記憶されているディスプレイ本体属性情報に基づいて、画面構成命令を生成する。例えば、ディスプレイ本体属性情報によって、コンテンツＡ、Ｂ、Ｃの表示可能な縦横比が特定でき、ディスプレイの所定の領域に、所定のサイズのコンテンツを表示するような画面構成命令を生成する。
【００５５】
一方、図示していないが、記憶装置のアドレス（α）に記憶されている表示画面構成プログラムＰがメインメモリのワーク領域上（５）に展開される。このとき、まず、表示画面構成プログラムＰは、「画面構成命令に基づいて、メインメモリのアドレス（１）（２）（３）のデータをグラフィックメモリに格納せよ」との命令を送出する。この命令にしたがって、メインメモリのアドレス（１）（２）（３）に記憶されているコンテンツＡ、Ｂ、Ｃが読み出され、ＣＰＵにて画像表示のための処理が行われる。このとき、ディスプレイ本体属性情報に依存して生成された画面構成命令に基づいて、取得した映像情報をディスプレイ本体の複数部分に割り当てて表示するように表示画面用情報が構成される。例えば、ディスプレイ中央領域にはコンテンツＡを表示し、左右領域のうち左上、右上にはコンテンツＢを、左下、右下にはコンテンツＣを表示することを示す表示画面用情報を構成する。グラフィックメモリに、表示画面用情報に応じたコンテンツがそれぞれ配置されることで、ディスプレイの所定の位置に、所定のコンテンツを表示することが可能となる。
【００５６】
<実施形態３：処理の流れ>  図１１は、本実施形態の映像表示装置における表示処理の流れを示したものである。まず、複数のコンテンツをそれぞれ構成する映像情報を取得する（映像情報取得ステップ  Ｓ１１０１）。映像情報は、受信チューナーなどを介して放送されたコンテンツを取得する場合や、インターネットなどを介してコンテンツをダウンロードして取得する場合、すでに映像表示装置内のＨＤＤなどに蓄積されているコンテンツを読み出して取得する場合などが想定される。
【００５７】
次に、ディスプレイ本体の属性を示す情報であるディスプレイ本体属性情報を取得する（ディスプレイ本体属性情報取得ステップ  Ｓ１１０２）。ディスプレイ本体属性情報は、ＨＤＤなどに蓄積されており、これを読み出して取得する。
【００５８】
その次に、取得されたディスプレイ本体属性情報に基づいて画面構成命令を取得する（ディスプレイ本体属性情報依存画面構成命令取得ステップ  Ｓ１１０３）。ディスプレイ本体属性情報によって、ディスプレイの表示画面サイズ、表示領域の縦横比などが特定されるため、これに応じて、表示領域における主画面／副画面の配置を構成するための命令を生成し取得する。
【００５９】
最後に、画面構成命令に基づいて、取得した映像情報をディスプレイ本体の複数部分に割り当てて表示するように表示画面用情報を構成する（表示画面用情報構成ステップ  Ｓ１１０４）。表示画面用情報に応じたコンテンツが、グラフィックメモリにそれぞれ配置されることで、ディスプレイの所定の位置に、所定のコンテンツを表示することが可能となる。
【００６０】
<実施形態３：効果>  本実施形態は、ディスプレイ本体の属性情報に基づいて、画面構成命令を取得することに特徴を有する映像表示装置である。映像表示装置内のＨＤＤなどに蓄積されたディスプレイ本体属性情報によって、ディスプレイの表示画面サイズ、表示領域の縦横比などに基づいた最適な画面配置が行われるため、利便性が高い。また、これらの画面構成は自動的に定まり、利用者が逐一画面配置を指定しなくてもよいため、煩雑な作業が回避される。
【００６１】
<<実施形態４>>
【００６２】
<実施形態４：概要>  本実施形態の概要について説明する。本実施形態は、放送映像情報取得のための第一映像情報取得手段と、放送映像以外の映像情報取得のための第二映像情報取得手段と、を有することに特徴を有する映像表示装置である。
【００６３】
<実施形態４：構成>  本実施形態の機能ブロックの一例を図１２に示した。  図１２に示す本実施形態の「映像表示装置」（１２００）は、「ディスプレイ部」（１２０１）と、「映像情報取得部」（１２０２）と、「画面構成命令取得部」（１２０３）と、「表示画面用情報構成部」（１２０４）と、を有する。さらに、映像情報取得部（１２０２）は「第一映像情報取得手段」（１２０５）と、「第二映像情報取得手段」（１２０６）とを有する。図１２に示す機能ブロック図は、実施形態１を基本としたものであるが、その他の実施形態を基本とする場合には、他の構成要件を必要とする場合がある。
【００６４】
「第一映像情報取得手段」（１２０５）は、放送映像情報取得のための処理を行う。放送映像情報の取得は、受信チューナーなどを介して実現できる。
【００６５】
「第二映像情報取得手段」（１２０６）は、放送映像以外の映像情報取得のための処理を行う。放送映像以外の映像情報とは、インターネット、メール、電子番組表、スクリーンセーバーなどのソフトウェア、スピーカー、イコライザーなど内部状態を表示する画像、ドアホンのモニター画面など様々なものが該当する。
【００６６】
なお、第二映像情報取得手段は、通信によって第二映像情報を取得するための通信器を有する場合もある。この場合、インターネット、メール、電子番組表などの映像情報は通信器によって取得することができる。このとき、第二映像情報の取得は、通信器がＩ／Ｏを介して外部との通信を行うことで実現する。
【００６７】
図１３には、放送映像情報と、メールソフトとを同時に表示する形態の例を図示したものである。放送映像情報を視聴しながらメールソフトを利用できることで、受信したメールに即座に応答できる。
【００６８】
また、図１４には、放送映像情報と、電子番組表とを表示する形態の例を図示したものである。放送映像情報を視聴しながら電子番組表を確認できることで、好みの番組のチャンネル選択が容易となり、かつ、好みの番組を視聴しそこなうリスクを減らせる。さらに、放送映像情報と、インターネットブラウザとを同時に表示する場合には、放送映像視聴中に生じた疑問や確認したい事項などをインターネットで検索等して即時に解決できる。
【００６９】
その他、第二映像情報は、ＨＤＤなどに蓄積されている映像情報を読み出して取得できる場合がある。図１５には、放送映像情報と、スクリーンセーバーや、背景の静止画とを表示する形態の例を図示したものである。放送映像情報を視聴しながらスクリーンセーバーや、背景の静止画などを表示させることは、放送映像情報を集中して視聴でき、かつ、黒い帯の表示よりも視覚に安定感や広がりをもたらす効果が期待できる。静止画の表示は、常に一定な表示に限定されるものではなく、一定時間経過ごとに切り替わる表示形態であってもよい。また、一定時間経過ごとに副画面の映像コンテンツが表示される位置自体を変更するとしてもよい。例えば、副画面の映像コンテンツが表示される位置を順に右へずらして変更する場合には、視覚的には右に画面が移動しているような表示形態が実現できる。
【００７０】
また、図１６には、放送映像情報と、スピーカーを示す画像とを表示する形態の例を図示したものである。放送映像情報を視聴しながらのスピーカーを示す画像の表示は、例えば、音声情報に同調してウーファー部分などを振動表示するよう処理することで、放送中の映像情報の音声の状態を視覚的に把握できる。また、このスピーカー画像の表示とともにイコライザー画像を表示しても良い。このようにウーファー部分を振動表示したりイコライザーを表示したりすることで、例えばライブ、コンサート映像表示や重低音再生をともなう映像表示などにおいて臨場感を付与させる効果も期待できる。
【００７１】
さらに、図１７には、放送映像情報と、ドアホンのモニター画像とを表示する形態の例を図示したものである。放送映像情報を視聴しながらのドアホンのモニター画像の表示は、放送映像視聴中に席を立たずに訪問者を確認できる。このとき、ドアホンに設置されたカメラからの映像が有線／無線にて送信され、映像表示装置にて表示が実現される。ドアホンのモニター画像の表示は、訪問者の有無にかかわらず表示されているとしてもよいし、ドアホンの呼び出しに連動して表示が実行されるとしてもよい。
【００７２】
第一映像情報と、第二映像情報とは、いずれが主画面／副画面でもよい。利用者の必要に応じて、画面構成命令にて主画面／副画面を入れ替えるとしてもよい。
【００７３】
その他各部の処理については、実施形態１から３と同様である。
【００７４】
<実施形態４：具体例>  図１８は、本実施形態の映像表示装置におけるハードウエア構成の一例を示す概略図である。この図にあるように、映像表示装置は、表示画面用情報構成部として「ＣＰＵ（中央演算装置）」（１８０１）と、「メインメモリ」（１８０２）と、「グラフィックメモリ」（１８０３）とを備えている。また、「記憶装置（又は記憶媒体）」（１８０４）を備え、映像情報取得部の第一映像情報取得手段として「受信チューナー」（１８０５）を、第二映像情報取得手段として「インターフェース」（１８０６）を備える。さらに、画面構成命令取得部は「インターフェース」、さらに、ディスプレイ部は「ディスプレイ」（１８０７）により構成される。これらは、「システムバス」（１８０８）などのデータ通信経路によって相互に接続され、情報の送受信や処理を行う。
【００７５】
インターフェースにて映像情報の取得命令（電源ＯＮ、チャネル選択など）が取得されることにより、受信チューナーなどを介して第一映像情報である放送映像情報が取得され、この映像情報により構成されるコンテンツＡが記憶装置のメインメモリのアドレス（１）に保持される。また、インターフェースを介して、例えば、外部との通信や、記憶装置に記憶されている情報を読み出して第二映像情報である放送映像以外の映像情報が取得され、この映像情報により構成されるコンテンツＢ、Ｃがそれぞれ記憶装置のメインメモリのアドレス（２）（３）に保持される。
【００７６】
さらに、インターフェースで新規に画面構成命令が取得される。通常、画面構成命令は、利用者のリモコン操作などによって取得が実現されるが、ＣＰＵにて生成されるとしてもよい。
【００７７】
一方、記憶装置のアドレス（α）に記憶されている表示画面構成プログラムＰがメインメモリのワーク領域上（４）に展開される。このとき、まず、表示画面構成プログラムＰは、「画面構成命令に基づいて、メインメモリのアドレス（１）（２）（３）のデータをグラフィックメモリに格納せよ」との命令を送出する。この命令にしたがって、メインメモリのアドレス（１）（２）（３）に記憶されているコンテンツＡ、Ｂ、Ｃが読み出され、ＣＰＵにて画像表示のための処理が行われる。このとき、画面構成命令に基づいて、取得した映像情報をディスプレイ本体の複数部分に割り当てて表示するように表示画面用情報が構成される。例えば、ディスプレイ中央領域にはコンテンツＡを表示し、左右領域のうち左上、右上にはコンテンツＢを、左下、右下にはコンテンツＣを表示することを示す表示画面用情報を構成する。グラフィックメモリに、表示画面用情報に応じたコンテンツがそれぞれ配置されることで、ディスプレイの所定の位置に、所定のコンテンツを表示することが可能となる。
【００７８】
<実施形態４：効果>  本実施形態は、放送映像情報取得のための第一映像情報取得手段と、放送映像以外の映像情報取得のための第二映像情報取得手段と、を有することに特徴を有する映像表示装置である。放送映像以外の映像情報として、様々なバリエーションを有することで、利用者の利便性が高まることが期待できる。
【００７９】
<<実施形態５>>
【００８０】
<実施形態５：概要>  本実施形態の概要について説明する。本実施形態は、取得した放送映像情報を処理して処理済放送映像情報とし、放送映像情報とともにディスプレイに表示することに特徴を有する映像表示装置である。
【００８１】
<実施形態５：構成>  本実施形態の機能ブロックの一例を図１９に示した。  図１９に示す本実施形態の「映像表示装置」（１９００）は、「ディスプレイ部」（１９０１）と、「映像情報取得部」（１９０２）と、「画面構成命令取得部」（１９０３）と、「表示画面用情報構成部」（１９０４）と、を有する。さらに、映像情報取得部（１９０２）は「第一映像情報取得手段」（１９０５）と、「第三映像情報取得手段」（１９０６）とを有する。図１９に示す機能ブロック図は、実施形態１を基本としたものであるが、その他の実施形態を基本とする場合には、他の構成要件を必要とする場合がある。
【００８２】
「第一映像情報取得手段」（１９０５）は、放送映像情報取得のための処理を行う。放送映像情報の取得は、受信チューナーなどを介して実現できる。
【００８３】
「第三映像情報取得手段」（１９０６）は、処理済放送映像情報取得のための処理を行う。「処理済放送映像情報」とは、第一映像情報取得手段（１９０５）にて取得した第一映像情報を処理した映像情報である。第一映像情報の処理は、放送映像情報を一旦蓄積し、加工、一部削除等行うことが該当する。これは、例えば、放送映像情報によって構成されるコンテンツの任意のシーンを抜き出して静止画に加工し出力する（複数の静止画の連続出力を含む）場合や、コンテンツの早送り、コマ送り等を行いながらの追っかけ再生する場合などが該当する。第一映像情報が処理されて処理済放送映像情報となるのは、一部の第一映像情報であってもよい。
【００８４】
その他各部の処理については、実施形態１から３と同様である。
【００８５】
<実施形態５：具体例>  図２０は、本実施形態の映像表示装置におけるハードウエア構成の一例を示す概略図である。この図にあるように、映像表示装置は、表示画面用情報構成部として「ＣＰＵ（中央演算装置）」（２００１）と、「メインメモリ」（２００２）と、「グラフィックメモリ」（２００３）とを備えている。また、「記憶装置（又は記憶媒体）」（２００４）を備え、映像情報取得部の第一映像情報取得手段として「受信チューナー」（２００５）を、第三映像情報取得手段として「ＣＰＵ」を備える。さらに、画面構成命令取得部は「インターフェース」、さらに、ディスプレイ部は「ディスプレイ」（２００７）により構成される。これらは、「システムバス」（２００８）などのデータ通信経路によって相互に接続され、情報の送受信や処理を行う。
【００８６】
インターフェースにて映像情報の取得命令（電源ＯＮ、チャネル選択など）が取得されることにより、受信チューナーなどを介して第一映像情報である放送映像情報が取得され、この映像情報により構成されるコンテンツＡ、Ｂ、Ｃが記憶装置のメインメモリのアドレス（１）（２）（３）に保持される。また、インターフェースで新規に処理済放送映像情報取得命令が取得されると、メインメモリに保持されているコンテンツのうち所定のコンテンツ（ここではコンテンツＢとする）を読み出し、ＣＰＵにて加工処理が実行される。例えば、コンテンツＢの任意のシーンを抜き出して静止画に加工する（複数の静止画の連続出力を含む）場合や、コンテンツＢの早送り、コマ送り等を行いながらの追っかけ再生のために加工する場合などが該当する（以下、処理済みのコンテンツＢをコンテンツＢ’とする。）。
【００８７】
さらに、インターフェースで新規に画面構成命令が取得される。通常、画面構成命令は、利用者のリモコン操作などによって取得が実現されるが、ＣＰＵにて生成されるとしてもよい。
【００８８】
一方、記憶装置のアドレス（α）に記憶されている表示画面構成プログラムＰがメインメモリのワーク領域上（４）に展開される。このとき、まず、表示画面構成プログラムＰは、「画面構成命令に基づいて、メインメモリのアドレス（１）（２）（３）のデータをグラフィックメモリに格納せよ」との命令を送出する。この命令にしたがって、メインメモリのアドレス（１）（２）（３）に記憶されているコンテンツＡ、Ｂ’、Ｃが読み出され、ＣＰＵにて画像表示のための処理が行われる。このとき、画面構成命令に基づいて、取得した映像情報をディスプレイ本体の複数部分に割り当てて表示するように表示画面用情報が構成される。例えば、ディスプレイ中央領域にはコンテンツＡを表示し、左右領域のうち左上、右上にはコンテンツＢ’を追っかけ再生し、左下、右下にはコンテンツＣを表示することを示す表示画面用情報を構成する。グラフィックメモリに、表示画面用情報に応じたコンテンツがそれぞれ配置されることで、ディスプレイの所定の位置に、所定のコンテンツを表示することが可能となる。
【００８９】
なお、図２１は、追っかけ再生時の主画面と、副画面の表示状態を示したものである。右に行くほど時間が経過するものとし、現在主画面にて５番目のシーンが表示されていて、副画面においては最初のシーンから１シーンおきに再生して主画面を追いかけるものとする。図下部に示したように、次の段階では主画面にて６番目のシーンが表示され、副画面にて３番目のシーンが表示され、再生が進むにつれて副画面の表示が主画面に追いついていく。
【００９０】
<実施形態５：効果>  本実施形態は、取得した放送映像情報を処理して処理済放送映像情報とすることに特徴を有する映像表示装置である。放送映像情報に加工処理を施して表示することで、利用者の利便性が高まることが期待できる。
【図面の簡単な説明】
【００９１】
【図１】実施形態１を説明するための概念図
【図２】実施形態１の表示形態のその他の例を示した図
【図３】実施形態１の機能ブロックの一例を示した図
【図４】実施形態１のハードウエア構成の一例を示した図
【図５】実施形態１の処理の流れを示した図
【図６】実施形態２の機能ブロックの一例を示した図
【図７】実施形態２のハードウエア構成の一例を示した図
【図８】実施形態２の処理の流れを示した図
【図９】実施形態３の機能ブロックの一例を示した図
【図１０】実施形態３のハードウエア構成の一例を示した図
【図１１】実施形態３の処理の流れを示した図
【図１２】実施形態４の機能ブロックの一例を示した図
【図１３】実施形態４における表示形態の一例を示した図（その１）
【図１４】実施形態４における表示形態の一例を示した図（その２）
【図１５】実施形態４における表示形態の一例を示した図（その３）
【図１６】実施形態４における表示形態の一例を示した図（その４）
【図１７】実施形態４における表示形態の一例を示した図（その５）
【図１８】実施形態４のハードウエア構成の一例を示した図
【図１９】実施形態５の機能ブロックの一例を示した図
【図２０】実施形態５のハードウエア構成の一例を示した図
【図２１】実施形態５における主画面と副画面の表示形態の一例を示した図
【図２２】実施形態２における表示形態の一例を示した図
【図２３】実施形態３における表示形態の一例を示した図
【符号の説明】
【００９２】
０２００    映像表示装置
０２０１    ディスプレイ部
０２０２    映像情報取得部
０２０３    画面構成命令取得部
０２０４    表示画面用情報構成部
【図１】
2007279246.tif 000003
【図２】
2007279246.tif 000004
【図３】
2007279246.tif 000005
【図４】
2007279246.tif 000006
【図５】
2007279246.tif 000007
【図６】
2007279246.tif 000008
【図７】
2007279246.tif 000009
【図８】
2007279246.tif 000010
【図９】
2007279246.tif 000011
【図１０】
2007279246.tif 000012
【図１１】
2007279246.tif 000013
【図１２】
2007279246.tif 000014
【図１３】
2007279246.tif 000015
【図１４】
2007279246.tif 000016
【図１５】
2007279246.tif 000017
【図１６】
2007279246.tif 000018
【図１７】
2007279246.tif 000019
【図１８】
2007279246.tif 000020
【図１９】
2007279246.tif 000021
【図２０】
2007279246.tif 000022
【図２１】
2007279246.tif 000023
【図２２】
2007279246.tif 000024
【図２３】
2007279246.tif 000025